(57)【要約】【課題】  外継手と、内押さえの下部押さえ片との隙間に雨水が流れ込むおそれの少ない軒樋継手構造を提供する。【解決手段】  一対の軒樋の長手方向の端部同士を対向させ、軒樋の端部の外側面に外継手を被嵌させるとともに、端部間の内面に沿って内押さえを嵌合して、前記外継手と前記内押さえとで前記軒樋を挟持することにより、前記一対の軒樋を接続する軒樋継手構造において、前記外継手の内側に雨水引き込みリブを配設してなり、前記雨水引き込みリブが下端片を有しない構造である。【選択図】図１
2005097977.tif 000002
【特許請求の範囲】
【請求項１】
一対の軒樋の長手方向の端部同士を対向させ、前記軒樋の端部の外側面に外継手を被嵌させるとともに、端部間の内面に沿って内押さえを嵌合して、前記外継手と前記内押さえとで前記軒樋を挟持することにより、前記一対の軒樋を接続する軒樋継手構造において、
前記外継手の内側に雨水引き込みリブを配設してなり、前記雨水引き込みリブが下端片を有しない構造であることを特徴とする軒樋継手構造。
【請求項２】
一対の軒樋の長手方向の端部同士を対向させ、軒樋の端部の外側面に外継手を被嵌させるとともに、端部間の内面に沿って内押さえを嵌合して、前記外継手と前記内押さえとで前記軒樋を挟持することにより、前記一対の軒樋を接続する軒樋継手構造において、
前記外継手の内側に雨水引き込みリブを配設してなり、前記雨水引き込みリブの下端片が内側に向かって傾斜している構造であることを特徴とする軒樋継手構造。
【請求項３】
一対の軒樋の長手方向の端部同士を対向させ、軒樋の端部の外側面に外継手を被嵌させるとともに、端部間の内面に沿って内押さえを嵌合して、前記外継手と前記内押さえとで前記軒樋を挟持することにより、前記一対の軒樋を接続する軒樋継手構造において、
前記外継手の内側に雨水引き込みリブを配設してなり、前記雨水引き込みリブの長さ方向の両端と前記軒樋との間に隙間を有することを特徴とする軒樋継手構造。
【発明の詳細な説明】
【技術分野】
【０００１】
本発明は、外継手と内押さえとで軒樋の端部を挟持することにより、軒樋を接続する軒樋継手構造に関するものである。
【背景技術】
【０００２】
従来から、一対の軒樋の長手方向の端部同士を対向させ、軒樋の端部の外側面に外継手を被嵌させるとともに、端部間の内面に沿って内押さえを嵌合して、外継手と内押さえとで軒樋の端部を挟持することにより、軒樋を接続することが実施されている。外継手の内側にリブを配設することにより、雨水を引き込み構造が、特開平１１−０４４０６１号公報に開示されている。
【特許文献１】特開平１１−０４４０６１号公報
【発明の開示】
【発明が解決しようとする課題】
【０００３】
しかしながら、上記の具体例の軒樋継手構造では、以下の問題点があった。外継手の内側に配設されたリブに沿って流れ落ちる雨水が、内押さえの下部押さえ片との隙間に雨水が流れ込んで隙間に溜まり、雨水の表面張力により継手部分が雨水で濡れてしまい、雨水の一部は軒樋の外部にもあふれることがあった。この場合、軒樋中の水分が乾燥した後に、雨水に含まれているごみ等の異物が継手部分の外部にも付着することで外見を損なうおそれがあった。
【０００４】
本発明は、かかる事由に鑑みてなしたもので、その目的とするところは、外継手と、内押さえの下部押さえ片との隙間に雨水が流れ込むおそれの少ない軒樋継手構造を提供することにある。
【課題を解決するための手段】
【０００５】
上記課題を解決するために、本願発明の軒樋継手構造は、一対の軒樋の長手方向の端部同士を対向させ、前記軒樋の端部の外側面に外継手を被嵌させるとともに、端部間の内面に沿って内押さえを嵌合して、前記外継手と前記内押さえとで前記軒樋を挟持することにより、前記一対の軒樋を接続する軒樋継手構造において、前記外継手の内側に雨水引き込みリブを配設してなり、前記雨水引き込みリブが下端片を有しない構造である。
【発明の効果】
【０００６】
本願発明の軒樋継手構造は、前記外継手の内側に雨水引き込みリブを配設してなり、前記雨水引き込みリブが下端片を有しない構造であるので、雨水が外継手と下部押さえ片との隙間に流れ込む可能性が小さくなる。
【発明を実施するための最良の形態】
【０００７】
（実施形態１）
本実施形態の軒樋継手構造を図１〜３に基づいて説明する。本実施形態の軒樋継手構造は、図１に示すように、一対の軒樋１を外継手６と内押さえ７とにより挟持することにより接続するものである。
【０００８】
軒樋１は、鋼板のような金属板の両面に合成樹脂材料を被覆して形成されている。前面板３は、前面上部と前面下部とで形成されており、前面下部は、底面板２前端から立ち上がって上部へいくにしたがって前方へいくように傾斜しており、前面上部は、上部へいくにつれて後方に傾斜している。また、前面上部の上端から斜め下方に連出片が形成してあり、連出片の先端に前面耳部を長手方向にわたって設けてあり、前面耳部には係止段部を設けてある。前面下部上端には、外面から内方へ凹没する排水溝である条溝３ａを長手方向へわたって設けてあり、また、前面下部下端から下方に突出するように水切り突起を垂下してある。なお、後面板４の上端には後面耳部を設けてある。
【０００９】
合成樹脂材料にて形成された外継手６と内押さえ７とにより、軒樋１、１を直線状に接続している。外継手６は、軒樋１の前面板３に沿うように形成された、底面板６ａから立ち上がった外継手前面板６ｂには、内方すなわち軒樋１の一連の条溝３ａに向けて凹没する第２条溝６ｄが継手の巾方向にわたって設けられている。この第２条溝６ｄは、外継手前面板６ｂ外周面を流れ落ちる水滴が軒樋１の条溝３ａに確実に導かれるよう、図３に示すように、中央部分から巾方向両縁端へいくにしたがって下方にいくように傾斜し、該条溝３ａへ向けて開口形成されているとともに、第２条溝６ｄの内側には雨水引き込みリブ６ｅが設けられている。そして、外継手前面板６ｂ縁端には軒樋１を接続するときに係止段部３ｅと係合する前耳押さえ部６ｆが設けられている。この外継手６の外継手前面板６ｂと外継手後面板６ｃとのそれぞれの内面の巾方向中央付近にはそれぞれセパレータ突起６ｇが設けられており、外継手後面板６ｃ縁端には軒樋１を接続するときに係止段部と係合する後耳押さえ部６ｈが設けられている。
【００１０】
また、内押さえ７は、軒樋１の継ぎ目内周面に略沿設するように、底押さえ片７ａと、底押さえ片７ａから折曲し延設された前押さえ片７ｂ、後押さえ片７ｃとで主体が構成され、底押さえ片７ａと後ろ押さえ片７ｃは、軒樋１の底面板２と後面板４とに沿う形に形成されている。また、前押さえ片７ｂの下端から軒樋１の前面板３の下方内面に沿う下部押さえ片７ｄが上方へ向けて一体に連出されている。また、下部押さえ片７ｄには、外継手６を固定するための接着剤を配設する一対の接着剤溝７ｅ、７ｅが設けられている。
【００１１】
上記軒樋の軒樋継手構造により軒樋１、１を接続するときは、まず、接続される両軒樋１、１の長手方向端部の、後面板４縁端に設けられている後面耳部へ外継手後面板６ｃ縁端の後耳押さえ部６ｈを係合させた後、前面板３縁端に設けられている前面耳部に並設されている係止段部へ、巻回すように外継手前面板６ｂ縁端の前耳押さえ部６ｆを係合させて被嵌する。次いで、内押さえ７の接着剤溝７ｅ、７ｅに、接着剤を配設しておき、後押さえ片７ｃの上端を後面耳部の下面に係当した状態にて、操作片７ｅを保持した状態で内押さえ７の前側を下方に回動させ、軒樋１の条溝３ａが第２条溝６ｄと確実に縁端で対向するよう、軒樋１、１を内周面から外継手６へ向けて押圧するようにして装着する。この状態で、接着剤を硬化させることにより、外継手６と内押さえ７とを確実に固定させる。
【００１２】
上記軒樋の軒樋継手構造の部分に屋根等から雨水か流入した場合、一部の雨水は外継手前面板６ｂの内側に沿うように流れ込む。この雨水は雨水引き込みリブ６ｅに当り、これに沿って、内押さえ７の内部へと流れる。しかし、一部の雨水は、雨水引き込みリブ６ｅに沿ってさらに外継手前面板６ｂの下方に流れ落ちるものもある。ここで、図２に示すように、雨水引き込みリブ６ｅが下端片を有しない構造であるので、雨水が下端片を沿って流れ落ちることがなくなる。つまり、雨水引き込みリブ６ｅの側端片に沿って流れ落ちる雨水は、そのまま内押さえ７の内部へと落下していくことになる。
【００１３】
本実施形態の軒樋継手構造は、雨水引き込みリブが下端片を有しない構造であるので、雨水が下端片を沿って流れ落ちることがなくなり、外継手と下部押さえ片との隙間に流れ込む可能性が小さくなる。この結果として、軒樋中の水分が乾燥した後に、雨水に含まれているごみ等の異物が継手部分の外部にも付着することで外見を損なうおそれがなくなるという効果を奏する。
【００１４】
（実施形態２）
本実施形態の軒樋継手構造を図４に基づいて説明する。本実施形態の軒樋継手構造は、実施形態１と略同じであるので、全体の断面図を省略して、主要部分の断面図を図4に示して、実施形態１と相異する部分である雨水引き込みリブの構造についてのみ説明する。図４に示すように、外継手前面板６ｂの内側に配設された雨水引き込みリブ６ｅは、下端片が内側に向かって傾斜している構造になっている。
【００１５】
上記軒樋の軒樋継手構造の部分に屋根等から雨水か流入した場合、一部の雨水は外継手前面板６ｂの内側に沿うように流れ込む。この雨水は雨水引き込みリブ６ｅに当り、これに沿って、内押さえ７の内部へと流れる。しかし、一部の雨水は、雨水引き込みリブ６ｅに沿ってさらに外継手前面板６ｂの下方に流れ落ちるものもある。ここで、雨水引き込みリブ６ｅが下端片が内側に向かって傾斜している構造であるので、雨水が下端片を沿って流れ落ちることがなくなる。つまり、雨水引き込みリブ６ｅの側端片に沿って流れ落ちる雨水は、そのまま内押さえ７の内部へと落下していくことになる。
【００１６】
本実施形態の軒樋継手構造は、雨水引き込みリブの下端片が内側に向かって傾斜している構造であるので、雨水が下端片を沿って流れ落ちることがなくなり、外継手と下部押さえ片との隙間に流れ込む可能性が小さくなる。この結果として、軒樋中の水分が乾燥した後に、雨水に含まれているごみ等の異物が継手部分の外部にも付着することで外見を損なうおそれがなくなるという効果を奏する。
【００１７】
（実施形態３）
本実施形態の軒樋継手構造を図５、６に基づいて説明する。本実施形態の軒樋継手構造は、実施形態１と略同じであるので、全体の断面図は省略して、実施形態１と相異する部分である雨水引き込みリブの構造についてのみ説明する。図５は、本実施形態の軒樋継手構造を前面板３の前側から見た側面図である。また、図６は、軒樋継手部分を長さ方向で切断して前面板３の後側から見て左半分を示す切断側面図であり、軒樋１は直接には見えないので前面板３を２点鎖線で図示している。図５、６に示すように、雨水引き込みリブ６ｅの長さ方向の両端と、軒樋１、１との間に隙間８を有する構造になっている。
【００１８】
上記軒樋の軒樋継手構造の部分に屋根等から雨水か流入した場合、一部の雨水は外継手前面板６ｂの内側に沿うように流れ込む。この雨水は雨水引き込みリブ６ｅに当り、これに沿って、内押さえ７の内部へと流れる。しかし、一部の雨水は、雨水引き込みリブ６ｅに沿ってさらに外継手前面板６ｂの下方に流れ落ちるものもある。ここで、外継手の長さ方向の両端と軒樋の間に隙間８を有するので、軒樋１の内部に侵入した雨水に対して排水溝が確保されることになる。つまり、雨水引き込みリブ６ｅの側端片に沿って流れ落ちる雨水は、隙間８を通って排水されることになる。
【００１９】
本実施形態の軒樋継手構造は、外継手の長さ方向の両端と軒樋の間に隙間を有するので、軒樋内部に侵入した雨水に対して排水溝が確保されて、外継手と下部押さえ片との隙間に流れ込む可能性が小さくなる。この結果として、軒樋中の水分が乾燥した後に、雨水に含まれているごみ等の異物が継手部分の外部にも付着することで外見を損なうおそれがなくなるという効果を奏する。
【図面の簡単な説明】
【００２０】
【図１】実施形態１の軒樋継手構造の斜視図である。
【図２】実施形態１の外継手と内押さえとの係合関係を示す断面図である。
【図３】実施形態１の外継手と内押さえとの係合関係を示す断面の主要部の断面図である。
【図４】実施形態２の外継手と内押さえとの係合関係を示す断面の主要部の断面図である。
【図５】実施形態３の外継手と内押さえとの係合関係を示す側面図である。
【図６】実施形態３の外継手と内押さえとの係合関係を示す切断側面図である。
【符号の説明】
【００２１】
１      軒樋
２      底面板
３      前面板
４      後面板
５      継手装置
６      外継手
６ｅ    雨水引き込みリブ
７      内押さえ
７ｄ    下部押さえ片
８      隙間
【図１】
2005097977.tif 000003
【図２】
2005097977.tif 000004
【図３】
2005097977.tif 000005
【図４】
2005097977.tif 000006
【図５】
2005097977.tif 000007
【図６】
2005097977.tif 000008